(57)【要約】【課題】  簡易な構成で主密封油ポンプ異常時において密封油の供給圧力低下を抑制する。【解決手段】  発電機密封油供給装置１は、発電機２１に接続された主密封油供給配管２と、この主密封油供給配管２を通じて密封油を第１の圧力をもって発電機２１に供給する主密封油ポンプ６と、主密封油供給配管２に接続された補助密封油供給配管７と、この補助密封油供給配管７内の密封油に主密封油ポンプ６より低い圧を加える圧力供給装置と、主密封油供給配管２内より補助密封油供給配管７内の密封油の圧力が低くなったときに開動作し、補助密封油供給配管７から主密封油供給配管２内に密封油を供給する逆止弁９とを備える。【選択図】  図１
2013126276.tif 000002
【特許請求の範囲】
【請求項１】
内部に密封油を収容する密封油タンクと、
この密封油タンクと発電機の軸シール部を接続する密封油供給配管と、
この密封油供給配管を通じて密封油を第１の圧力で前記発電機に供給する主密封油ポンプと、
前記密封油供給配管に接続された補助密封油供給シリンダと、
この補助密封油供給シリンダ内の前記密封油を前記主密封油ポンプより低い第２の圧力で加圧する圧力供給装置と、
前記密封油供給配管内の前記密封油の圧力が前記補助密封油供給シリンダ内の前記密封油の圧力を下回ったときに開動作し、前記補助密封油供給シリンダから前記密封油供給配管に前記密封油を供給する逆止弁とを備えることを特徴とする発電機密封油供給装置。
【請求項２】
前記圧力供給装置は、前記発電機のロータ軸の回転動力によって動作するコンプレッサーであって、このコンプレッサーによって前記補助密封油供給シリンダ内の前記密封油を加圧することを特徴とする請求項１に記載の発電機密封油供給装置。
【請求項３】
前記圧力供給装置は、内部の圧縮媒体を前記補助密封油供給シリンダに供給することによって前記補助密封油供給シリンダ内の前記密封油を加圧することを特徴とする請求項１に記載の発電機密封油供給装置。
【請求項４】
前記圧力供給装置は、前記発電機のロータ軸の周囲に密封油軸受を設け、前記ロータ軸と前記密封油軸受の間の間隙内で前記ロータ軸の回転によって密封油を旋回させ、前記密封油軸受に形成した密封油供給孔を通じて前記補助密封油供給シリンダ内の前記密封油を加圧することを特徴とする請求項１に記載の発電機密封油供給装置。
【請求項５】
前記圧力供給装置は、前記補助密封油供給シリンダを鉛直方向に押し付ける錘を設け、この錘の自重によって前記補助密封油供給シリンダ内の前記密封油を加圧することを特徴とする請求項１に記載の発電機密封油供給装置。
【請求項６】
前記密封油供給配管に設けられ、前記主密封油ポンプの異常時に起動して前記密封油を前記発電機に供給する非常用密封油ポンプをさらに備えることを特徴とする請求項１乃至請求項５の何れか一項に記載の発電機密封油供給装置。
【請求項７】
密封油供給配管を通じて密封油を所定の圧をもって発電機に供給する工程と、
前記密封油供給配管から分岐して接続された補助密封油供給配管内の前記密封油に前記密封油供給配管内より低い圧を加える工程と、
前記密封油供給配管内の前記密封油の圧力が前記補助密封油供給配管の前記密封油の圧力を下回ったときに、前記補助密封油供給配管から前記密封油供給配管内に前記密封油を供給する工程とを備えることを特徴とする発電機密封油供給方法。 
【発明の詳細な説明】
【技術分野】
【０００１】
本発明は、機内に水素を封入して冷却を行う発電機の軸シール部に密封油を供給する発電機密封油供給装置およびその供給方法に関する。
【背景技術】
【０００２】
原子力発電所をはじめとする発電プラントにおける発電機には、水素圧縮媒体を冷却媒体として機内に封入して冷却を行っているものがある。また発電機は、タービンと接続するためのロータ軸が軸貫通部を貫通している。この軸貫通部から機内の水素圧縮媒体が外部に漏えいすることを防止するために、軸貫通部に軸シール部を設け、この軸シール部に密封油を供給することによって水素圧縮媒体のシールを行っている。
【０００３】
軸シール部への密封油の供給は、軸シール部に密封油供給配管を接続し、主密封油ポンプによって密封油供給配管を通して所定の圧力で加圧した密封油を軸シール部に供給することによって行われる。この主密封油ポンプが万が一の異常によって停止、または供給能力が低下すると、密封油の供給圧力が低下して軸シール部から水素圧縮媒体が漏えいするおそれがある。
【０００４】
そこで、非常用密封油ポンプをさらに設け、主密封油ポンプの異常停止時に非常用密封油ポンプを起動し、非常用密封油ポンプによって密封油を軸シール部に供給する技術が開発されている（例えば、特許文献１および特許文献２参照。）。
【先行技術文献】
【特許文献】
【０００５】
【特許文献１】特開平６−１１３５０３号公報
【特許文献２】特公昭６１−４２４９９号公報
【発明の概要】
【発明が解決しようとする課題】
【０００６】
しかしながら、上述した特許文献１および特許文献２に記載の技術は、非常用密封油ポンプを起動するまでの時間に密封油の圧力低下が発生するおそれがある。さらに非常用密封油ポンプが主密封油ポンプに代替して迅速に所定圧力の密封油の供給能力に達するためには、非常用密封油ポンプの容量を大きくする、あるいは電源負荷を大きくする必要があり、設備コストが増大するおそれがある。
【０００７】
そこで本発明は、簡易な構成で主密封油ポンプの異常時において密封油の供給圧力低下を抑制することができる発電機密封油供給装置の提供を目的とする。
【課題を解決するための手段】
【０００８】
上記目的を達成するために、本発明の発電機密封油供給装置は、発電機に接続された密封油供給配管と、この密封油供給配管を通じて密封油を第１の圧力で発電機に供給する主密封油ポンプと、密封油供給配管に接続された補助密封油供給配管と、この補助密封油供給配管内の密封油を主密封油ポンプより低い第２の圧力で加圧する圧力供給装置と、密封油供給配管内の密封油の圧力が補助密封油供給配管内の密封油の圧力より下回ったときに開動作し、補助密封油供給配管から密封油供給配管に密封油を供給する逆止弁とを備えることを特徴とする。
【０００９】
さらに上記目的を達成するために、本発明の発電機密封油供給方法は、密封油供給配管を通じて密封油を第１の圧力をもって発電機に供給する工程と、密封油供給配管に接続された補助密封油供給配管内の密封油に密封油供給配管内より低い第２の圧力を加える工程と、密封油供給配管内より補助密封油供給配管の密封油の圧力が低くなったときに、補助密封油供給配管から密封油供給配管内に密封油を供給する工程とを備えることを特徴とする。
【発明の効果】
【００１０】
本発明によれば、簡易な構成で主密封油ポンプの異常時において密封油の供給圧力低下を抑制することができる。
【図面の簡単な説明】
【００１１】
【図１】本発明の第１の実施形態に係る発電機密封油供給装置の主密封油ポンプの通常運転時の作用を示す概略構成図。
【図２】本発明の第１の実施形態に係る発電機密封油供給装置の主密封油ポンプの異常時の作用を示す概略構成図。
【図３】第１の実施形態に係る発電機密封油供給装置の発電機に供給する密封油の圧力を示すグラフ。
【図４】本発明の第２の実施形態に係る発電機密封油供給装置の主密封油ポンプの異常時の作用を示す概略構成図。
【図５】本発明の第３の実施形態に係る発電機密封油供給装置の主密封油ポンプの異常時の作用を示す概略構成図。
【図６】本発明の第３の実施形態に係る発電機密封油供給装置の密封油軸受ならびに発電機のロータ軸の長手方向の概略断面図。
【図７】本発明の第４の実施形態に係る発電機密封油供給装置の主密封油ポンプの異常時の作用を示す概略構成図。
【発明を実施するための形態】
【００１２】
以下、本発明の実施形態を説明する。
【００１３】
（第１の実施形態）
（構成）
以下、本発明の第１の実施形態に係る発電機密封油供給装置について図１乃至図３を参照して説明する。図１は、本発明の第１の実施形態に係る発電機密封油供給装置の主密封油ポンプの通常運転時の作用を示す概略構成図である。
【００１４】
発電機密封油供給装置１は、主密封油供給配管２と、非常用密封油供給配管３と、密封油戻り配管４と、密封油タンク５と、主密封油ポンプ６と、非常用密封油ポンプ７と、補助密封油供給シリンダ８と、逆止弁９と、圧縮空気配管１０と、コンプレッサー１１とから構成される。発電機２１は、タービン（図示せず。）と接続するためのロータ軸２１aが両端２箇所を貫通しており、この軸貫通部にそれぞれ軸シール部２１ｂが設けられる。
【００１５】
密封油タンク５は、内部に密封油を収容するタンクである。主密封油供給配管２は、密封油タンク５から発電機２１の軸シール部２１ｂへ密封油を流通させることができるように、主密封油供給配管２は密封油タンク５と軸シール部２１ｂを接続する。非常用密封油供給配管３は主密封油供給配管２から分岐し再び合流するように、主密封油供給配管２に接続される。
【００１６】
また密封油戻り配管４は、発電機２１の軸シール部２１ｂから密封油タンク５へ密封油を流通させることができるように、密封油戻り配管４は軸シール部２１ｂと密封油タンク５を接続する。
【００１７】
主密封油ポンプ６は、主密封油供給配管２に設けられ、密封油タンク５内の密封油を主密封油供給配管２を通じて所定の第１の圧力で発電機２１に供給することができるポンプである。
【００１８】
非常用密封油ポンプ７は、非常用密封油供給配管３に設けられ、非常用密封油供給配管３を通じて密封油タンク５と同等の圧力で密封油を発電機２１に供給することができるポンプである。
【００１９】
補助密封油供給シリンダ８は、一端が主密封油供給配管２に接続され、他端が圧縮空気配管１０に接続される。さらに補助密封油供給シリンダ８は、内部にピストン８aを有する。ピストン８aを挟んで主密封油供給配管２側の内部に密封油が充填され、圧縮空気配管１０側の内部に圧縮空気が供給される。
【００２０】
逆止弁９は、補助密封油供給シリンダ８のうち主密封油供給配管２との接続位置近傍に設けられる。逆止弁９は、補助密封油供給シリンダ８から主密封油供給配管２への密封油の供給を開動作によって許容し、その逆である主密封油供給配管２から補助密封油供給シリンダ８への密封油の供給は閉動作によって遮断する。ここで逆止弁９の開動作は、主密封油供給配管２内の密封油の圧力が補助密封油供給シリンダ８内の密封油の圧力を下回ったときに動作する。
【００２１】
圧縮空気配管１０は、コンプレッサー１１から補助密封油供給シリンダ８に圧縮空気を供給することができるように、コンプレッサー１１と補助密封油供給シリンダ８を接続する。さらにコンプレッサー１１は、発電機２１のロータ軸２１aの回転運動によって動作することができるように、発電機２１のロータ軸２１aに接続される。
【００２２】
（作用）
以下、本発明の第１の実施形態の作用について説明する。発電機２１は、機内に水素を封入することによって冷却を行う。発電機密封油供給装置１は、発電機２１の軸貫通部から水素が外部に漏えいすることを防ぐために、軸シール部２１ｂに密封油を供給して軸シール部２１ｂをシールする。
【００２３】
まず、主密封油ポンプ６の通常運転時の発電機密封油供給装置１の作用について説明する。図１に示すように、主密封油ポンプ６の通常運転時は、主密封油ポンプ６によって密封油が発電機２１に供給され、非常用密封油ポンプ７は停止している。通常運転時の主密封油ポンプ６は、第１の圧力で密封油を供給する。
【００２４】
このときコンプレッサー１１は、ロータ軸２１aの回転運動によって動作し、圧縮空気を圧縮空気配管１０を通じて補助密封油供給シリンダ８に供給する。補助密封油供給シリンダ８内では、圧縮空気によってピストン８aが押圧され、内部の密封油が加圧される。この補助密封油供給シリンダ８内の密封油の圧力は、主密封油ポンプ６の供給圧力である第１の圧力より低い第２の圧力に調整される。この状態において逆止弁９は、主密封油供給配管２内の圧力が補助密封油供給シリンダ８内の圧力がより高いため閉動作を保持し、補助密封油供給シリンダ８と主密封油供給配管２との間で密封油は流通しない。
【００２５】
次に、主密封油ポンプ６の異常時の発電機密封油供給装置１の作用について説明する。図２は、本発明の第１の実施形態に係る発電機密封油供給装置の主密封油ポンプの異常時の作用を示す概略構成図である。ここで主密封油ポンプ６の異常とは、主密封油ポンプ６の停止、または主密封油ポンプ６が第１の圧力で密封油を供給できない状態を示す。主密封油ポンプ６の異常判定は、主密封油供給配管２内に圧力計を設け、密封油の圧力は圧力下限値を下回ることによって判定する方法や、主密封油ポンプ６自身のインバータや駆動回路等を監視する異常判定装置によって行う方法を適用することができる。
【００２６】
主密封油ポンプ６の異常時には、主密封油ポンプ６の異常を示す異常信号（図示せず。）を非常用密封油ポンプ７に送信することによって、非常用密封油ポンプ７が起動する。しかしながら、非常用密封油ポンプ７の起動には時間を要するため、主密封油ポンプ６の異常によって密封油の一時的な供給圧力低下が生じる場合がある。この一時的な供給圧力低下によって主密封油供給配管２内より補助密封油供給シリンダ８内の密封油の圧力が低くなったとき、逆止弁９は開動作し、補助密封油供給シリンダ８内の密封油を主密封油供給配管２内に供給する。
【００２７】
図３は、第１の実施形態に係る発電機密封油供給装置の発電機に供給する密封油の圧力を示すグラフである。主密封油ポンプ６に異常が発生すると、主密封油ポンプ６による主密封油供給配管２内の圧力は第１の圧力から漸次低下する。主密封油供給配管２内の圧力が第２の圧力を下回ると、逆止弁９が開放して補助密封油供給シリンダ８内の密封油が主密封油供給配管２内に供給される。
【００２８】
一方で、非常用密封油ポンプ７は主密封油ポンプ６の異常信号を受信して起動するが、起動開始までに例えば５０ｍｓを要し、第１の圧力の供給圧力に達するまでさらなる時間を要する。この間、補助密封油供給シリンダ８は、第２の圧力をもって密封油を供給する。補助密封油供給シリンダ８を設けない場合、図３の実線Ａに示すように主密封油供給配管２内の急激な圧力低下が生じるが、補助密封油供給シリンダ８を設けることによって、図３の点線Ｂに示すように急激な圧力低下が抑制される。この後、図３の破線Ｃに示す非常用密封油ポンプ７の供給圧力が第１の圧力付近に達すると、主密封油ポンプ６に代替して非常用密封油ポンプ７による密封油の供給が継続される。
【００２９】
（効果）
本発明の第１の実施形態によれば、コンプレッサー１１によって補助密封油供給シリンダ８内の密封油を加圧し、主密封油ポンプ６の異常時の圧力低下に応じて逆止弁９を開放させることによって、主密封油供給配管２内の急激な圧力低下を抑制することができる。さらに非常用密封油ポンプ７が起動し、第１の圧力の供給圧力付近に達するまでの時間猶予を得ることができるので、非常用密封油ポンプ７の容量を削減することができる。
【００３０】
なお、コンプレッサー１１は圧縮空気に代えて、圧縮媒体を供給してもよい。また、コンプレッサー１１は、ロータ軸２１aの回転動力によって動作させるだけでなく、発電機２１が設けられる発電プラント内の他の機器の動力を利用して動作させてもよい。さらにコンプレッサー１１を非常用ＤＣ電源等を用いて電気駆動する構成とすることもできる。
【００３１】
さらに、主密封油ポンプ６の異常信号をコンプレッサー１１に送信してコンプレッサー１１の圧縮空気の圧力を増加させることによって、主密封油ポンプ６の異常時に主密封油供給配管２内で第１の圧力を保持することもできる。
【００３２】
（第２の実施形態）
（構成）
以下、本発明の第２の実施形態に係る発電機密封油供給装置について図４を参照して説明する。第１の実施形態に係る発電機密封油供給装置の各部と同一部分には同一符号を付し、同一の構成についての説明は省略する。
【００３３】
図４は、本発明の第２の実施形態に係る発電機密封油供給装置の主密封油ポンプの異常時の作用を示す概略構成図である。第２の実施形態が第１の実施形態と異なる点は、圧縮空気配管１０およびコンプレッサー１１に代えて、圧縮媒体供給装置１２を設けた点である。
【００３４】
圧縮媒体供給装置１２は、内部に圧縮媒体として不活性ガスを収容し、不活性ガスを補助密封油供給シリンダ８に供給可能に補助密封油供給シリンダ８に接続される。または圧縮媒体として、冷却系等で用いている加圧された炭酸ガスや冷却水を配管によって引き込み、補助密封油供給シリンダ８に供給する構成としてもよい。
【００３５】
（作用）
以下、本発明の第２の実施形態の作用について説明する。主密封油ポンプ６の通常運転時において、圧縮媒体供給装置１２は、圧縮媒体を補助密封油供給シリンダ８内に供給し、補助密封油供給シリンダ８内の密封油を上述した第２の圧力で加圧する。このとき、主密封油供給配管２内の密封油は第１の圧力で加圧されているため、逆止弁９は閉鎖している。
【００３６】
主密封油ポンプ６の異常が発生すると、主密封油ポンプ６による主密封油供給配管２内の圧力は第１の圧力から低下する。主密封油供給配管２内の圧力が第２の圧力より低下すると、逆止弁９が開放して補助密封油供給シリンダ８内の密封油が主密封油供給配管２内に供給される。
【００３７】
（効果）
本発明の第２の実施形態によれば、圧縮媒体供給装置１２によって圧縮媒体を補助密封油供給シリンダ８に供給し、補助密封油供給シリンダ８内の密封油を加圧することによって、主密封油ポンプ６の異常による主密封油供給配管２内の圧力低下に応じて逆止弁９を開放させ、主密封油供給配管２内の急激な圧力低下を抑制することができる。
【００３８】
（第３の実施形態）
（構成）
以下、本発明の第３の実施形態に係る発電機密封油供給装置について図５および図６を参照して説明する。第１の実施形態に係る発電機密封油供給装置の各部と同一部分には同一符号を付し、同一の構成についての説明は省略する。
【００３９】
図５は、本発明の第３の実施形態に係る発電機密封油供給装置の主密封油ポンプの異常時の作用を示す概略構成図である。第３の実施形態が第１の実施形態と異なる点は、圧縮空気配管１０およびコンプレッサー１１に代えて、密封油軸受１３および軸受接続配管１４を設けた点である。
【００４０】
図６は、本発明の第３の実施形態に係る発電機密封油供給装置の密封油軸受ならびにロータ軸の長手方向の概略断面図である。密封油軸受１３は、発電機２１のロータ軸２１aの直径より内径の大きい円筒形状であり、ロータ軸２１aの周囲の一部を囲むように設けることによって、ロータ軸２１aと密封油軸受１３の間に間隙２２を形成する。
【００４１】
さらに密封油軸受１３には、密封油供給孔１３aが形成される。軸受接続配管１４は密封油供給孔１３aと補助密封油供給シリンダ８を接続する。間隙２２および軸受接続配管１４ならびに補助密封油供給シリンダ８内には密封油が充填される。
【００４２】
（作用）
以下、本発明の第３の実施形態の作用について説明する。主密封油ポンプ６の通常運転時において、密封油軸受１３内でロータ軸２１aは回転動作を行い、密封油はロータ軸２１aの回転によって間隙２２内でロータ軸２１aの周方向に旋回する。この旋回によって密封油は遠心力を生じ、軸受接続配管１４を通じて、補助密封油供給シリンダ８内を加圧する。この圧力は上述した第２の圧力に調整されるものとする。
【００４３】
主密封油ポンプ６の異常が発生すると、主密封油ポンプ６による主密封油供給配管２内の圧力は第１の圧力から漸次低下する。主密封油供給配管２内の圧力が第２の圧力より低下すると、逆止弁９が開放して補助密封油供給シリンダ８内の密封油が主密封油供給配管２内に供給される。
【００４４】
（効果）
本発明の第３の実施形態によれば、ロータ軸２１aの回転によって間隙２２内で密封油を旋回させ遠心力を生じさせて、補助密封油供給シリンダ８内を加圧することによって、主密封油ポンプ６の異常による主密封油供給配管２内の圧力低下に応じて逆止弁９を開放させ、主密封油供給配管２内の急激な圧力低下を抑制することができる。
【００４５】
なお、間隙２２および軸受接続配管１４ならびに補助密封油供給シリンダ８内に密封油を充填するだけでなく、補助密封油供給シリンダ８内にピストン８aを設け、ピストン８aを挟んで軸受接続配管１４側に異なる媒体を充填してもよい。
【００４６】
（第４の実施形態）
（構成）
以下、本発明の第４の実施形態に係る発電機密封油供給装置について図７を参照して説明する。第１の実施形態に係る発電機密封油供給装置の各部と同一部分には同一符号を付し、同一の構成についての説明は省略する。
【００４７】
図７は、本発明の第４の実施形態に係る発電機密封油供給装置の主密封油ポンプの異常時の作用を示す概略構成図である。第４の実施形態が第１の実施形態と異なる点は、圧縮空気配管１０およびコンプレッサー１１に代えて、錘１５を設けた点である。
【００４８】
錘１５は、補助密封油供給シリンダ８のピストン８aを自重で鉛直方向に押し付けるように設けられる。さらに錘１５は、補助密封油供給シリンダ８内の密封油を上述した第２の圧力で加圧することができる重量が選択される。
【００４９】
（作用）
以下、本発明の第４の実施形態の作用について説明する。主密封油ポンプ６の通常運転時において、錘１５はピストン８aを自重によって押し付け、補助密封油供給シリンダ８内の密封油を上述した第２の圧力をもって加圧する。このとき、主密封油供給配管２内の圧力は第１の圧力であるため、逆止弁９は閉鎖する。
【００５０】
主密封油ポンプ６の異常が発生すると、主密封油ポンプ６による主密封油供給配管２内の圧力は第１の圧力から漸次低下する。主密封油供給配管２内の圧力が第２の圧力より低下すると、逆止弁９が開放して補助密封油供給シリンダ８内の密封油が主密封油供給配管２内に供給される。
【００５１】
（効果）
本発明の第４の実施形態によれば、ピストン８aを錘１５の自重によって押し付け、補助密封油供給シリンダ８内の密封油を加圧することによって、主密封油ポンプ６の異常による主密封油供給配管２内の圧力低下に応じて逆止弁９を開放させ、主密封油供給配管２内の急激な圧力低下を抑制することができる。
【００５２】
なお、錘１５を補助密封油供給シリンダ８内で摺動可能な形状とし、錘１５によって補助密封油供給シリンダ８内の密封油を密封することによって、錘１５によってピストン８aを兼用する構成としてもよい。さらに、錘１５は常にピストン８aを押圧するだけでなく、主密封油ポンプ６の異常信号を受信して自然落下させることによって、主密封油ポンプ６の異常発生後にピストン８aを押圧する構成としてもよい。
【００５３】
なお、本発明の実施形態は上述した実施形態に限られないことは言うまでもない。例えば、発電機密封油供給装置１が供給する密封油の供給量や供給圧力は、発電機密封油供給装置１が設けられる発電機２１の発電容量や非常用密封油ポンプ７の起動スピードによって適宜変更されうるものである。
【００５４】
また、補助密封油供給シリンダ８の一端は、主密封油供給配管２に接続されるだけでなく、主密封油供給配管２および非常用密封油供給配管３とから構成される密封油供給配管のいずれかの位置に設ければ同様の作用を発揮することができる。
【００５５】
さらに、非常用密封油供給配管３は主密封油供給配管２から分岐し合流するように接続されるだけでなく、主密封油供給配管２と独立して密封油タンク５と発電機２１を接続するように設けてもよい。また、非常用密封油供給配管３の構成を省き、主密封油供給配管２に主密封油ポンプ６および非常用密封油ポンプ７を設ける構成としてもよい。
【００５６】
また、非常用密封油ポンプ７を有しない発電機密封油供給装置１においても、主密封油ポンプ６の異常による一時的な密封油の圧力低下に対して逆止弁９を開放させて補助密封油供給シリンダ８内の密封油の供給によって、密封油の急激な圧力低下を抑制することができる。 
【符号の説明】
【００５７】
１・・・発電機密封油供給装置
２・・・主密封油供給配管
３・・・非常用密封油供給配管
４・・・密封油戻り配管
５・・・密封油タンク
６・・・主密封油ポンプ
７・・・非常用密封油ポンプ
８・・・補助密封油供給シリンダ
８a・・・ピストン
９・・・逆止弁
１０・・・圧縮空気配管
１１・・・コンプレッサー
１２・・・圧縮媒体供給装置
１３・・・密封油軸受
１３a・・・密封油供給孔
１４・・・軸受接続配管
１５・・・錘
２１・・・発電機
２１a・・・ロータ軸
２１ｂ・・・軸シール部
２２・・・間隙 
【図１】
2013126276.tif 000003
【図２】
2013126276.tif 000004
【図３】
2013126276.tif 000005
【図４】
2013126276.tif 000006
【図５】
2013126276.tif 000007
【図６】
2013126276.tif 000008
【図７】
2013126276.tif 000009